(57)【要約】【課題】本発明は、極めて商品価値の高い画期的なバリカン型切断装置を提供することを目的とする。【解決手段】ロアーナイフプレート１に並設したロアーナイフ２に対して、ナイフバー３に並設したナイフ４をスライド往復させて前記各ロアーナイフ２とナイフ４間の被切断物５を切断するものである。【選択図】図２
2011125238.tif 000002
【特許請求の範囲】
【請求項１】
ロアーナイフプレートに並設したロアーナイフに対して、ナイフバーに並設したナイフをスライド往復させて前記各ロアーナイフとナイフ間の被切断物を切断するバリカン型切断装置であって、前記ロアーナイフプレートに並設したロアーナイフの並設方向に、スライド往復駆動機構によってスライド往復する前記ナイフバーのこのスライド往復をガイドするスライドガイド機構を備え、このスライドガイド機構は、前後位置に間隙を介して配されるリアガイドプレート及びフロントガイドプレートと、この両ガイドプレート間に架設されるナイフクリップとから成るスライドガイド部材を前記ロアーナイフプレートに設けた構成として、このリアガイドプレートとフロントガイドプレートとの離間間隙によって形成されたガイド間隙に前記ナイフバーがスライド往復自在に嵌入されて前記ナイフバーのスライド往復をガイドするように前記スライドガイド機構を構成し、前記ナイフクリップと前記リアガイドプレートを互いに重合状態で締付杆体を介して締め付け固定する構成とし、前記締付杆体を貫挿する前記リアガイドプレートの貫通孔若しくは前記ナイフクリップの貫通孔を長孔として前記リアガイドプレートと前記フロントガイドプレートとを接離移動自在に設けて前記ガイド間隙を調整可能に形成し、前記リアガイドプレートに重合する前記ナイフクリップの重合面に設けた凹条部若しくは凸条部が凹凸係合する凸条部若しくは凹条部を前記リアガイドプレートの被重合面に設けて、前記凹条部に対する前記凸条部の凹凸係合により前記リアガイドプレートと前記フロントガイドプレートとの接離方向への移動を係止止めする平行移動係止機構を構成し、前記凹条部，前記凸条部の少なくとも一方を前記リアガイドプレートと前記フロントガイドプレートとの接離方向に複列並設して前記ガイド間隙を段階的に調整可能となるように前記平行移動係止機構を構成したことを特徴とするバリカン型切断装置。
【請求項２】
前記スライドガイド部材を複数間隔をおいて前記ロアーナイフプレートに設けた構成とし、前記スライドガイド部材夫々に前記平行移動係止機構を具備せしめたことを特徴とする請求項１記載のバリカン型切断装置。
【請求項３】
前記凹条部，前記凸条部の少なくとも一方を、前記リアガイドプレートにおける前記ナイフバーをガイドするガイド面と平行状態となるように前記ナイフクリップの重合面若しくは前記リアガイドプレートの被重合面に複列並設したことを特徴とする請求項１，２のいずれか１項に記載のバリカン型切断装置。
【請求項４】
前記ナイフクリップの重合面に設ける前記凹条部若しくは凸条部を、この凹条部若しくは凸条部の左右側端が前記ナイフクリップの左右側面部に達する状態となるまで前記重合面の横幅方向全域に設けたことを特徴とする請求項１〜３のいずれか１項に記載のバリカン型切断装置。
【請求項５】
前記ガイド間隙を形成した前記スライドガイド部材を、前記ナイフクリップと前記リアガイドプレートを互いに重合状態で前記ロアーナイフプレートに前記締付杆体を介して締め付け固定して当該ロアーナイフプレートに設ける構成としたことを特徴とする請求項１〜４のいずれか１項に記載のバリカン型切断装置。
【請求項６】
前記凹条部は内底部から立ち上がるフロント側内壁面とリア側内壁面とを有し、前記リアガイドプレートと前記ナイフクリップとの重合方向と直交する面Ｐ１と、この面Ｐ１と交差し前記フロント側内壁面の面方向と平行となる面Ｐ２との交差内角Ｒ１に比し、前記面Ｐ１と、この面Ｐ１と交差し前記リア側内壁面の面方向と平行となる面Ｐ３との交差内角Ｒ２が大きい角度となるように設定したことを特徴とする請求項１〜５のいずれか１項に記載のバリカン型切断装置。
【請求項７】
前記面Ｐ１と前記面Ｐ３との交差内角Ｒ２を９０°に設定したことを特徴とする請求項６記載のバリカン型切断装置。
【請求項８】
前記リアガイドプレートの横幅を前記ナイフクリップの横幅に比して幅広に設定し、前記リアガイドプレートにおける前記ナイフクリップが重合しない露出部分にして前記凸条部若しくは前記凹条部の側方延長線上となる位置にメモリを設けて、前記リアガイドプレートの前記凸条部若しくは前記凹条部に凹凸係合する前記ナイフクリップの前記凹条部若しくは前記凸条部の係合位置を視認し得る係合位置視認手段を設けたことを特徴とする請求項１〜７のいずれか１項に記載のバリカン型切断装置。
【請求項９】
前記凸条部若しくは前記凹条部を、前記リアガイドプレートにおける前記ナイフクリップが重合しない露出部分まで延設して前記メモリとしたことを特徴とする請求項８記載のバリカン型切断装置。
【請求項１０】
前記スライドガイド部材の前記ナイフクリップの、前記ナイフバーのスライド方向の長さよりも、前記フロントガイドプレートのこのスライド方向の長さを長く設定すると共に、前記リアガイドプレートも前記フロントガイドプレートと同等に長く設定して前記ガイド間隙を長く設定したことを特徴とする請求項１〜９のいずれか１項に記載のバリカン型切断装置。
【請求項１１】
前記ロアーナイフプレートと前記リアガイドプレートとの間に、前記ナイフバーの下面の前記ナイフ基部を支承し且つ前記ロアーナイフの基部と同一高さとなる上面若しくは段差面を有するロアーガイドプレートを配設し、更に前記ロアーナイフプレートと前記リアガイドプレートとの間に前記ロアーガイドプレートの上側若しくは下側に必要に応じてシムを介在させ前記ロアーナイフプレートにこれら前記ロアーガイドプレート，前記シム，前記リアガイドプレート及び前記ナイフクリップの重合部を前記締付杆体によって締め付け固定して前記ロアーナイフプレート上に前記スライドガイド部材を締め付け固定したことを特徴とする請求項１〜１０のいずれか１項に記載のバリカン型切断装置。
【発明の詳細な説明】
【技術分野】
【０００１】
本発明は、並設したロアーナイフに重合するナイフをスライド往復させて各ロアーナイフとナイフとの間の被切断物（例えば農作物や草花あるいは切断処理したい廃棄物など用途によって様々なものが対象となる。）を切断するバリカン型切断装置に関するものである。
【背景技術】
【０００２】
一般にこの種の切断装置は、例えば、図19〜21に示すように、ロアーナイフプレート51上でナイフバー53をスライド往復してロアーナイフプレート51に多数並設した山形状のロアーナイフ52に対して、ナイフバー53に同じく多数並設した山形状のナイフ54を夫々が互いにすれ違う重合位置から互いに一致する重合位置へとスライド往復させて各ロアーナイフ52とナイフ54との間の被切断物を切断する構成である。
【０００３】
このスライド往復させるナイフバー53は、クランク機構などを介して回転運動を左右スライド運動に変換してロアーナイフプレート51上でスライド往復させる構成とするが、このロアーナイフプレート51上の複数ヵ所にこのスライド往復をガイドするスライドガイド機構としてスライドガイド部材61を設けた構成としている。
【０００４】
具体的には、このスライドガイド部材61は、ロアーナイフプレート51に重合締め付け固定するリアガイドプレート58と、これと離間配設するフロントガイドプレート59と、このガイドプレート58，59間に重合架設するナイフクリップ60とから成り、このリアガイドプレート58とフロントガイドプレート59との離間間隙をガイド間隙62としてこのガイド間隙62に前記ナイフバー53をスライド往復自在嵌入し、前記ナイフクリップ60は前記ナイフバー53の上方に配され、前記フロントガイドプレート59は刃押えバーとしてナイフ54の上方に配されるように構成し、前記リアガイドプレート58を前記ロアーナイフプレート51に二本の締付ボルト66により貫通螺着して締め付け固定することでこのスライドガイド部材61をロアーナイフプレート51上に固定する構成としている。
【０００５】
このロアーナイフプレート51上には更にロアーガイドプレート68上にスペーサー69を段違いに重合してナイフバー53の下面のナイフ54基部を支承し且つロアーナイフプレート51上のロアーナイフ52基部と同一高さとなる段差面67を形成し、また更に前記リアガイドプレート58とナイフクリップ60との間あるいはロアーガイドプレート68に前記段差面67を形成するスペーサー69とリアガイドプレート58との間にフロントガイドプレート59の高さ調整を行うシム70を複数枚重合し、これらに設けた止着孔64を介してロアーナイフプレート51上にロアーガイドプレート68，スペーサー69，リアガイドプレート58，シム70，ナイフクリップ60を重合して締付ボルト66を介して締め付け固定する構成としている。
【０００６】
ところで、ナイフバー53の幅の違いや、あるいはナイフバー53のクランク機構によるスライド往復であることなどから、リアガイドプレート58とフロントガイドプレート59とのガイド間隙62間でスライド往復するナイフバー53，リアガイドプレート58及びフロントガイドプレート59の各接触部位が摩耗し、この摩耗によってナイフバー53の幅やガイド間隙62が経時変化するおそれがあるが、これに対応するためにリアガイドプレート58を微調整できるようにリアガイドプレート58の止着孔58ａを長孔とし、このリアガイドプレート58の締め付け固定位置を微調整できるようにしている。従って、このように摩耗にも対応してガイド間隙62を調整でき、これによりナイフバー53の前後のガタ付きを抑えてナイフ54の振動を抑え、切れ味の持続性を高めることができる点においては秀れるが、前述したようにこのスライドガイド部材61は夫々設けられた箇所における摩耗量の差異が大きいことから、全体の摩耗バランスを取りながら微調整することになって非常に厄介であり熟練を要する作業であった。
【０００７】
更に詳述すれば、前述したようにリアガイドプレート58の締め付け固定位置を微調整できるようにすべくリアガイドプレート58の止着孔58ａを長孔としたことに加え、スライドガイド部材61をロアーナイフプレート51上に固定する際には、リアガイドプレート58とフロントガイドプレート59とのガイド間隙62間でナイフバー53がスライド往復するに必要なクリアランスを設けているが、ロアーナイフプレート51に対してリアガイドプレート58を左右の締付ボルト66を介して締め付け固定する際、この締付ボルト66の締め付け回動によりリアガイドプレート58及びフロントガイドプレート59が一方の締付ボルト66を支点に回動することでナイフバー53に対して平行状態でなく僅かでも傾いた状態となり易く、熟練者でないとリアガイドプレート58の微調整は非常に厄介であり、このリアガイドプレート58及びフロントガイドプレート59が傾斜した状態でナイフバー53をスライド往復させるとリアガイドプレート58及びフロントガイドプレート59が偏当たりして偏摩耗し（図21参照）、よって、前述したようにナイフバー53は勿論、リアガイドプレート58は摩耗が激しく頻繁に調整が必要となってしまったり取替えを要することになる。その他にも、例えば作業時に生じる振動により締付ボルト66が緩んで締付力が落ちることによってもリアガイドプレート58及びフロントガイドプレート59が回動することで偏当たりし、これが更なる偏摩耗の原因と作動負荷抵抗となっており、また、前述した偏当たりのために組み付け作動バランスが悪く、このことがスライドガイド機構における偏摩耗と強度低下の原因となっている。
【発明の概要】
【発明が解決しようとする課題】
【０００８】
本発明は、このような従来の問題点を解決したもので、ナイフクリップとリアガイドプレートとの重合部位に凹条部と凸条部との凹凸係合による平行移動係止機構を具備することで、ガイド間隙の微調整が容易で組み付けが極めて容易であって摩耗耐久性に優れ、組み付け後の微調整も極めて容易であり、ひいては設計通りの組み付けが行われることになり組み付け作動バランスが非常に良く、スライドガイド機構の強度を確実に得ることができ、しかも、スライドガイド部材のリアガイドプレートやフロントガイドプレートやナイフバーなどの偏摩耗とスライド作動負荷が改善されることとなり、これによってナイフの振動を抑えて切れ味の持続性と耐久性を高めることができる画期的なバリカン型切断装置を提供することを目的としている。
【課題を解決するための手段】
【０００９】
添付図面を参照して本発明の要旨を説明する。
【００１０】
ロアーナイフプレート１に並設したロアーナイフ２に対して、ナイフバー３に並設したナイフ４をスライド往復させて前記各ロアーナイフ２とナイフ４間の被切断物５を切断するバリカン型切断装置であって、前記ロアーナイフプレート１に並設したロアーナイフ２の並設方向に、スライド往復駆動機構６によってスライド往復する前記ナイフバー３のこのスライド往復をガイドするスライドガイド機構７を備え、このスライドガイド機構７は、前後位置に間隙を介して配されるリアガイドプレート８及びフロントガイドプレート９と、この両ガイドプレート８，９間に架設されるナイフクリップ10とから成るスライドガイド部材11を前記ロアーナイフプレート１に設けた構成として、このリアガイドプレート８とフロントガイドプレート９との離間間隙によって形成されたガイド間隙12に前記ナイフバー３がスライド往復自在に嵌入されて前記ナイフバー３のスライド往復をガイドするように前記スライドガイド機構７を構成し、前記ナイフクリップ10と前記リアガイドプレート８を互いに重合状態で締付杆体13を介して締め付け固定する構成とし、前記締付杆体13を貫挿する前記リアガイドプレート８の貫通孔８ａ若しくは前記ナイフクリップ10の貫通孔10ａを長孔として前記リアガイドプレート８と前記フロントガイドプレート９とを接離移動自在に設けて前記ガイド間隙12を調整可能に形成し、前記リアガイドプレート８に重合する前記ナイフクリップ10の重合面10Ａに設けた凹条部14若しくは凸条部が凹凸係合する凸条部15若しくは凹条部を前記リアガイドプレート８の被重合面８Ａに設けて、前記凹条部14に対する前記凸条部15の凹凸係合により前記リアガイドプレート８と前記フロントガイドプレート９との接離方向への移動を係止止めする平行移動係止機構16を構成し、前記凹条部14，前記凸条部15の少なくとも一方を前記リアガイドプレート８と前記フロントガイドプレート９との接離方向に複列並設して前記ガイド間隙12を段階的に調整可能となるように前記平行移動係止機構16を構成したことを特徴とするバリカン型切断装置に係るものである。
【００１１】
また、前記スライドガイド部材11を複数間隔をおいて前記ロアーナイフプレート１に設けた構成とし、前記スライドガイド部材11夫々に前記平行移動係止機構16を具備せしめたことを特徴とする請求項１記載のバリカン型切断装置に係るものである。
【００１２】
また、前記凹条部14，前記凸条部15の少なくとも一方を、前記リアガイドプレート８における前記ナイフバー３をガイドするガイド面８ｂと平行状態となるように前記ナイフクリップ10の重合面10Ａ若しくは前記リアガイドプレート８の被重合面８Ａに複列並設したことを特徴とする請求項１，２のいずれか１項に記載のバリカン型切断装置に係るものである。
【００１３】
また、前記ナイフクリップ10の重合面10Ａに設ける前記凹条部14若しくは凸条部を、この凹条部14若しくは凸条部の左右側端が前記ナイフクリップ10の左右側面部に達する状態となるまで前記重合面10Ａの横幅方向全域に設けたことを特徴とする請求項１〜３のいずれか１項に記載のバリカン型切断装置に係るものである。
【００１４】
また、前記ガイド間隙12を形成した前記スライドガイド部材11を、前記ナイフクリップ10と前記リアガイドプレート８を互いに重合状態で前記ロアーナイフプレート１に前記締付杆体13を介して締め付け固定して当該ロアーナイフプレート１に設ける構成としたことを特徴とする請求項１〜４のいずれか１項に記載のバリカン型切断装置に係るものである。
【００１５】
また、前記凹条部14は内底部14ｃから立ち上がるフロント側内壁面14ａとリア側内壁面14ｂとを有し、前記リアガイドプレート８と前記ナイフクリップ10との重合方向と直交する面Ｐ１と、この面Ｐ１と交差し前記フロント側内壁面14ａの面方向と平行となる面Ｐ２との交差内角Ｒ１に比し、前記面Ｐ１と、この面Ｐ１と交差し前記リア側内壁面14ｂの面方向と平行となる面Ｐ３との交差内角Ｒ２が大きい角度となるように設定したことを特徴とする請求項１〜５のいずれか１項に記載のバリカン型切断装置に係るものである。
【００１６】
また、前記面Ｐ１と前記面Ｐ３との交差内角Ｒ２を９０°に設定したことを特徴とする請求項６記載のバリカン型切断装置に係るものである。
【００１７】
また、前記リアガイドプレート８の横幅を前記ナイフクリップ10の横幅に比して幅広に設定し、前記リアガイドプレート８における前記ナイフクリップ10が重合しない露出部分にして前記凸条部15若しくは前記凹条部の側方延長線上となる位置にメモリ17ａを設けて、前記リアガイドプレート８の前記凸条部15若しくは前記凹条部に凹凸係合する前記ナイフクリップ10の前記凹条部14若しくは前記凸条部の係合位置を視認し得る係合位置視認手段17を設けたことを特徴とする請求項１〜７のいずれか１項に記載のバリカン型切断装置に係るものである。
【００１８】
また、前記凸条部15若しくは前記凹条部を、前記リアガイドプレート８における前記ナイフクリップ10が重合しない露出部分まで延設して前記メモリ17ａとしたことを特徴とする請求項８記載のバリカン型切断装置に係るものである。
【００１９】
また、前記スライドガイド部材11の前記ナイフクリップ10の、前記ナイフバー３のスライド方向の長さよりも、前記フロントガイドプレート９のこのスライド方向の長さを長く設定すると共に、前記リアガイドプレート８も前記フロントガイドプレート９と同等に長く設定して前記ガイド間隙12を長く設定したことを特徴とする請求項１〜９のいずれか１項に記載のバリカン型切断装置に係るものである。
【００２０】
また、前記ロアーナイフプレート１と前記リアガイドプレート８との間に、前記ナイフバー３の下面の前記ナイフ４基部を支承し且つ前記ロアーナイフ２の基部と同一高さとなる上面若しくは段差面19を有するロアーガイドプレート20を配設し、更に前記ロアーナイフプレート１と前記リアガイドプレート８との間に前記ロアーガイドプレート20の上側若しくは下側に必要に応じてシム21を介在させ前記ロアーナイフプレート１にこれら前記ロアーガイドプレート20，前記シム21，前記リアガイドプレート８及び前記ナイフクリップ10の重合部を前記締付杆体13によって締め付け固定して前記ロアーナイフプレート１上に前記スライドガイド部材11を締め付け固定したことを特徴とする請求項１〜１０のいずれか１項に記載のバリカン型切断装置に係るものである。
【発明の効果】
【００２１】
本発明は上述のように構成したから、ナイフクリップとリアガイドプレートとの重合部位に凹条部と凸条部との凹凸係合による移動係止機構を具備することで、熟練者でなくてもガイド間隙の微調整が容易で組み付けが極めて容易であって摩耗耐久性に秀れ、組み付け後の微調整も極めて容易であり、ひいては設計通りの組み付けが行われることになり組み付け作動バランスが非常に良く、スライドガイド機構の強度を確実に得ることができ、しかも、スライドガイド部材のリアガイドプレートやフロントガイドプレートやナイフバーなどの偏摩耗が改善されることとなり、これによってナイフの振動を抑えて切れ味の持続性を高めることができる画期的なバリカン型切断装置となる。
【００２２】
また、請求項２記載の発明においては、極めて良好な作動が得られることになるなど画期的なバリカン型切断装置となる。
【００２３】
また、請求項３記載の発明においては、一層前記作用・効果が良好に発揮される。即ち、極めて高精度な微調整が行えることになり、また、偏摩耗を一層抑えることができ、これによりナイフの振動を抑えて切れ味の持続性と耐久性を高めることができる画期的なバリカン型切断装置となる。
【００２４】
また、請求項４記載の発明においては、一層簡易な構成で本発明を容易に実現でき、一層優れたバリカン型切断装置となる。
【００２５】
また、請求項５記載の発明においては、一層簡易な構成で本発明を容易に実現でき、一層優れたバリカン型切断装置となる。
【００２６】
また、請求項６，７記載の発明においては、深さの深い凹条部が得られて耐久性に秀れ且つ、例えばフロントガイドプレートに対するリアガイドプレートの離反方向への移動を確実に係止止めできる極めて良好な移動係止機構が得られるなど、一層秀れたバリカン型切断装置となる。
【００２７】
また、請求項８記載の発明においては、リアガイドプレートの位置を簡易且つ正確に把握しながら微調整を行うことができ、一層前記作用・効果が良好に発揮されることになるなど、一層秀れたバリカン型切断装置となる。
【００２８】
また、請求項９記載の発明においては、一層簡易な構成で前記作用・効果が良好に発揮されることになるなど、一層秀れたバリカン型切断装置となる。
【００２９】
また、請求項１０記載の発明においては、ガイド間隙を長く設定でき、摩耗を一層抑えることができ、これによりナイフの振動を抑えて切れ味の持続性を高めることができる画期的なバリカン型切断装置となる。
【００３０】
また、請求項１１記載の発明においては、スライドガイド部材をロアーナイフプレートに締め付け固定する際に、従来通りスライドガイド部材を適切な高さに調整して締め付け固定でき、この調整も締め付け固定も必要最小限のプレートの重合によって行え、組み付け作業も容易となる極めて実用性に秀れたバリカン型切断装置となる。
【図面の簡単な説明】
【００３１】
【図１】実施例１の概略構成を示す説明平面図である。
【図２】実施例１の要部の説明分解斜視図である。
【図３】実施例１の要部の説明平面図である。
【図４】実施例１の要部の説明斜視図である。
【図５】実施例１の要部の説明斜視図である。
【図６】実施例１の要部の説明側面図である。
【図７】実施例１の要部の説明側断面図である。
【図８】実施例１の要部の説明側断面図である。
【図９】実施例２の要部の説明斜視図である。
【図１０】実施例２の要部の説明側断面図である。
【図１１】実施例２の要部の説明側断面図である。
【図１２】実施例３の要部の説明平面図である。
【図１３】実施例３の要部の説明斜視図である。
【図１４】実施例３の要部の説明斜視図である。
【図１５】実施例３の要部の説明斜視図である。
【図１６】実施例３の要部の説明側面図である。
【図１７】実施例３の要部の説明側断面図である。
【図１８】実施例３の要部の説明側断面図である。
【図１９】従来例の要部の説明分解斜視図である。
【図２０】従来例の要部の説明側断面図である。
【図２１】従来例の要部の動作説明平面図である。
【発明を実施するための形態】
【００３２】
好適と考える本発明の実施形態を、図面に基づいて本発明の作用を示して簡単に説明する。
【００３３】
ロアーナイフ２を並設したロアーナイフプレート１上に設けたスライドガイド機構７により、ナイフ４を並設したナイフバー３のスライド往復がガイドされる。そしてこのロアーナイフプレート１上でナイフバー３がスライド往復することで、各ロアーナイフ２に対して各ナイフ４がスライド往復し、この間の被切断物５を切断する。
【００３４】
このスライドガイド機構７は、リアガイドプレート８と、これと離間するフロントガイドプレート９と、この両ガイドプレート８，９間に架設されるナイフクリップ10とから成るスライドガイド部材11をロアーナイフプレート１に設けた構成として、このリアガイドプレート８とフロントガイドプレート９との間をガイド間隙12とし、このガイド間隙12にナイフバー３を嵌入し、このリアガイドプレート８とフロントガイドプレート９との内縁でナイフバー３をスライドガイドする。
【００３５】
このスライドガイド部材11は、ナイフクリップ10とリアガイドプレート８を互いに重合状態で締付杆体13を介して締め付け固定する構成としており、ガイド間隙12を調整自在に組み付けられる。
【００３６】
即ち、締付杆体13を貫挿するリアガイドプレート８の貫通孔８ａ若しくはナイフクリップ10の貫通孔10ａを長孔としてリアガイドプレート８とフロントガイドプレート９とを平行接離移動自在に設けてガイド間隙12を調整可能としている。
【００３７】
従って、リアガイドプレート８とフロントガイドプレート９とを平行接離移動して微調整することで常にガイド間隙12をスライドガイド機構として最適な状態に設定することができる。
【００３８】
ところで、本発明は、リアガイドプレート８とフロントガイドプレート９との接離方向への移動を係止止めする平行移動係止機構16を具備しており、この平行移動係止機構16はリアガイドプレート８を微調整することでガイド間隙12が調整可能となる構成とした際に生じる問題点を解消する。
【００３９】
即ち、この平行移動係止機構16は、リアガイドプレート８に重合するナイフクリップ10の重合面10Ａに設けた凹条部14若しくは凸条部が凹凸係合する凸条部15若しくは凹条部をリアガイドプレート８の被重合面８Ａに設けて構成されており、リアガイドプレート８にナイフクリップ10を重合すると、凹条部14と凸条部15とが凹凸係合することで最適な状態（従来のようにナイフバー３に対してリアガイドプレート８やフロントガイドプレート９が傾いた状態でなく、且つ、最適なガイド間隙12の状態）で位置決めされ、この状態で締付杆体13により締め付け固定できる。
【００４０】
つまり、この凹条部14と凸条部15との凹凸係合によりリアガイドプレート８とフロントガイドプレート９との接離方向への移動が係止止めされ、締付杆体13による締め付け固定する前に仮止めされた状態となり、締付杆体13により締め付け固定する際には、仮に従来のようにナイフバー３に対してリアガイドプレート８が傾こうと回動する方向に力が加わったとしても、長さを有する凹条部14と凸条部15との凹凸係合により傾くことが阻止される。この構成から、例えば締付杆体13は従来と異なり一本でも良く、より一層組み付けを簡易にすることも可能である。
【００４１】
また、平行移動係止機構16は、凹条部14，凸条部15の少なくとも一方をフロントガイドプレート９に対するリアガイドプレート８の接離方向に複列並設してガイド間隙12を段階的に調整可能となるよう構成されており、例えば凹条部14と凸条部15とが凹凸係合するそのピッチに合わせてリアガイドプレート８とフロントガイドプレート９とを接離方向に移動させるだけで、ナイフバー３の幅の違いや、ナイフバー３やリアガイドプレート８の摩耗によるガイド間隙12の変化などのその状況にあわせて、確実且つ容易に最適なガイド間隙12となるよう微調整して組み付けることができ、しかも、組み付け後の微調整も確実且つ容易に行える。このことから、常に最適な組み付け状態が得られることになり、偏摩耗が可及的に防止されて摩耗耐久性に秀れることになる。
【００４２】
従って、熟練者でなくてもガイド間隙の微調整が容易で組み付けが極めて容易であって摩耗耐久性に秀れ、組み付け後の微調整も極めて容易であり、ひいては設計通りの組み付けが行われることになり組み付け作動バランスが非常に良く、スライドガイド機構の強度を確実に得ることができ、しかも、スライドガイド部材のリアガイドプレートやフロントガイドプレートやナイフバーなどの偏摩耗が改善されることとなり、これによってナイフの振動を抑えて切れ味の持続性と耐久性を高めることができる画期的なバリカン型切断装置となる。
【実施例１】
【００４３】
本発明の具体的な実施例について図１〜８に基づいて説明する。
【００４４】
本実施例は、山形状のロアーナイフ２を並設した金属製のロアーナイフプレート１上で、同じく山形状のナイフ４を並設した金属製のナイフバー３をスライド往復駆動機構６によってスライド往復する構成とし、このナイフバー３のスライド往復をガイドするスライドガイド機構７をロアーナイフプレート１上に設けている。
【００４５】
本実施例のこのスライドガイド機構７は、ロアーナイフプレート１に締め付け固定する金属製のリアガイドプレート８と、このリアガイドプレート８の前方位置に所定間隙を介して配され前記ナイフ４の上方に配設されて刃押えバーとなる金属製のフロントガイドプレート９と、この両ガイドプレート８，９間に重合架設され該両ガイドプレート８，９よりも幅狭の金属板製のナイフクリップ10とから成るスライドガイド部材11を複数間隔を置いて前記ロアーナイフプレート１に設けた構成として、このリアガイドプレート８とフロントガイドプレート９との離間間隙によって形成されたガイド間隙12にナイフバー３がスライド往復自在に嵌入されるように構成している。
【００４６】
即ち、このナイフバー３の上方にはナイフクリップ10が配されると共にナイフ４の上方にはフロントガイドプレート９が配されてナイフバー３のスライド往復をガイドするようにスライドガイド機構７を構成している。
【００４７】
本実施例は、このリアガイドプレート８とナイフクリップ10とフロントガイドプレート９とを一体成形せず別部材としており、この夫々別部材としたプレート、即ち、リアガイドプレート８とナイフクリップ10との重合部を締付杆体13（締付ボルト）によって締め付け螺着固定すると共に、ナイフクリップ10とフロントガイドプレート９との重合部を夫々に設けた貫通孔10ａ，９ａ（丸孔）に貫挿させるリベット18によってかしめ止めて組み付け一体化することでスライドガイド部材11は形成される。尚、ナイフクリップ10とフロントガイドプレート９とは一体成形品でも良く、ナイフクリップ10を介してリアガイドプレート８とフロントガイドプレート９とがガイド間隙12を介して設けられる構成であれば良い。符号13Ａは締付杆体13とで部品を締め付け螺着固定するナット部材である。
【００４８】
このスライドガイド部材11は、リアガイドプレート８に締付杆体13を貫挿させるようにした際の締付杆体13を貫挿するリアガイドプレート８の貫通孔８ａを前後方向に長さを有する長孔としてフロントガイドプレート９に対してリアガイドプレート８を接離相対移動自在に設けてガイド間隙12を調整可能に形成されており、このガイド間隙12を形成したスライドガイド部材11を、リアガイドプレート８をロアーナイフプレート１に前述した締付杆体13を介して締め付け螺着固定してロアーナイフプレート１に設けている。つまり、本実施例では、スライドガイド部材11をロアーナイフプレート１に締め付け螺着固定する際の締付杆体13を介してリアガイドプレート８とナイフクリップ10とを締め付け螺着固定する。尚、スライドガイド部材11をロアーナイフプレート１に締め付け螺着固定する為の締付杆体13と、リアガイドプレート８とナイフクリップ10とを締め付け螺着固定する為の締付杆体13とを別々としても良い。
【００４９】
また、本実施例は、スライドガイド部材11を複数間隔をおいてロアーナイフプレート１に設けた構成とし、スライドガイド部材11夫々に後述する平行移動係止機構16を具備せしめている。
【００５０】
具体的には、リアガイドプレート８に重合するナイフクリップ10の重合面10Ａ（下面）に設けた断面Ｖ字状の凹条部14若しくは凸条部が凹凸係合する断面Ｖ字状の凸条部15若しくは凹条部をリアガイドプレート８の被重合面８Ａ（上面）に設けて、凹条部14に対する凸条部15の凹凸係合によりフロントガイドプレート９に対するリアガイドプレート８の接離方向への相対移動を係止止めする平行移動係止機構16を構成し、凹条部14，凸条部15の少なくとも一方をフロントガイドプレート９に対するリアガイドプレート８の接離方向に複列並設してガイド間隙12を段階的に調整可能となるように平行移動係止機構16を構成している。
【００５１】
本実施例では、凹条部14を、リアガイドプレート８におけるナイフバー３をガイドするガイド面８ｂと平行状態となるようにナイフクリップ10の重合面10Ａの基端側位置に複列並設しており、一方、凸条部15を、ガイド面８ｂと平行状態となるようにリアガイドプレート８の被重合面８Ａの基端側位置に一条設けている。尚、凹条部14を、ガイド面８ｂと平行状態となるようにリアガイドプレート８の被重合面８Ａの基端側位置に複列並設し、一方、凸条部15をガイド面８ｂと平行状態となるようにナイフクリップ10の重合面10Ａの基端側位置に一条設けるようにしても良く、更に、凹条部14を一条設けることとし、凸条部15を複列並設するようにしても良く、また、凹条部14及び凸条部15の断面形状は、前述したように断面Ｖ字状に限らず、断面Ｕ字状や断面矩形状（方形状）や断面台形状でも良いなど本実施例の特性を発揮し得る構成であれば適宜採用し得るものである。
【００５２】
また、凹条部14夫々は、図６に図示したように内底部14ｃから立ち上がるフロント側内壁面14ａとリア側内壁面14ｂとを有しており、リアガイドプレート８とナイフクリップ10との重合方向と直交する面Ｐ１（フロントガイドプレート９に対するリアガイドプレート８の接離方向と平行となる面Ｐ１、更に言い換えれば、リアガイドプレート８の被重合面８Ａ及びナイフクリップ10の重合面10Ａの面方向と平行となる面Ｐ１）と、この面Ｐ１と交差しフロント側内壁面14ａの面方向と平行となる面Ｐ２との交差内角Ｒ１に比し、面Ｐ１と、この面Ｐ１と交差しリア側内壁面14ｂの面方向と平行となる面Ｐ３との交差内角Ｒ２が大きい角度となるように設定している。
【００５３】
具体的には、面Ｐ１と面Ｐ３との交差内角Ｒ２を９０°に設定し、一方、面Ｐ１と面Ｐ２との交差内角Ｒ１を４５°に設定しており、フロント側内壁面14ａとリア側内壁面14ｂとの互いに交差する面Ｐ１，Ｐ２同士の交差内角Ｒ３（開き角度）を４５°に設定した凹条に形成されている。
【００５４】
この構成から、深さの深い凹条部14が得られて耐久性（強度性）に秀れ且つ、フロントガイドプレートに対するリアガイドプレートの離反方向への移動を確実に係止止めできる構造であり、即ち、例えば切断作業時などにリア側への応力（フロントガイドプレート９に対するリアガイドプレート８の離反方向にかかる力）に対して直交する面で支承する耐久性に秀れる構造であり、よって、耐久性に秀れる良好な平行移動係止機構16が得られることになる。
【００５５】
一方、凸条部15は、前述した凹条部14に合致して凹凸係合する形状に形成されている。
【００５６】
具体的には、凹条部14に凹凸係合させた際、この凹条部14のフロント側内壁面14ａに重合するフロント側外壁面15ａとリア側内壁面14ｂに重合するリア側外壁面15ｂとを有し、このフロント側外壁面15ａとリア側外壁面15ｂとが頂部15ｃを介して内角Ｒ４が４５°に設定されるＶ字状に連設している。
【００５７】
尚、凸条部15の形状は前述した種々提案され得る凹条部14の形状に対応して適宜形成するものである。
【００５８】
また、ナイフクリップ10の重合面10Ａに設ける凹条部14を、この凹条部14の左右側端がナイフクリップ10の左右側面部に達する状態となるまで重合面10Ａの横幅方向全域に設けており、一方、リアガイドプレート８の被重合面８Ａに設ける凸条部15を、この凸条部15の左右側端がリアガイドプレート８の左右側面部に達する状態となるまで被重合面８Ａの横幅方向全域に設けている。
【００５９】
これは、ナイフクリップ10の横幅方向全域に設けた凹条部14をリアガイドプレート８の横幅方向全域に設けられる凸条部15と可及的に広い面積で係止してより強い係止力を得る為の構成であり、その他にも平面方向及び側面方向から見てどの凹条部14に凸条部15が凹凸係合しているかの位置が確認できるようにするための構成である。
【００６０】
このいずれかの凹条部14に凸条部15が凹凸係合しているかを確認し得る構成については、リアガイドプレート８の横幅（ナイフバー３のスライド方向の幅）をナイフクリップ10の横幅に比して幅広に設定し、リアガイドプレート８におけるナイフクリップ10が重合しない左右の露出部分にして凸条部15の側方延長線上となる位置にメモリ17ａを設けて、リアガイドプレート８の凸条部15に凹凸係合するナイフクリップ10の凹条部14の係合位置を視認し得る係合位置視認手段17を設けている。
【００６１】
具体的には、前述したようにリアガイドプレート８の横幅方向全域に設けられた凸条部15は、リアガイドプレート８におけるナイフクリップ10が重合しない左右の露出部分まで延設されることでメモリ17ａとして機能するように設けられている。
【００６２】
従って、この係合位置視認手段17を具備することで、ロアーナイフプレート１に複数並設される各スライドガイド部材11夫々におけるリアガイドプレート８やフロントガイドプレート９やナイフバー３の摩耗量などを簡易に把握する事ができ、例えば被切断物５の切断後における汚れた状態においても確実に状況を把握する事ができ、ひいては各スライドガイド部材11におけるリアガイドプレート８の状況をスライドガイド部材11同士の相互間で比較し得ることになり、スライドガイド部材11個々の問題だけでなく、例えばロアーナイフプレート１の片側寄りのスライドガイド部材11における部品の摩耗量が顕著である場合にはスライド構造部に不具合があるかもしれないという警鐘になるなど、切断装置全体の状況をも把握できることにもなる。
【００６３】
尚、本実施例では、メモリ17ａをリアガイドプレート８に設けた凸条部15で構成しているが、リアガイドプレート８に凹条部14を設けた際にはこの凹条部14でメモリ17ａを構成しても良く、また、前述した凸条部15や凹条部14でなくてもリアガイドプレート８に着色するなどの印（点や線など）を付けて構成するようにしても良く、そして更に、メモリ17ａをリアガイドプレート８におけるナイフクリップ10が重合しない左右の露出部分のいずれか一方にのみ設ける構成でも良い。
【００６４】
また、本実施例では、ロアーナイフプレート１とリアガイドプレート８との間に、ナイフバー３の下面のナイフ４基部を支承し且つロアーナイフ２基部と同一高さとなる段差面19を有するロアーガイドプレート20を配設し、更にロアーガイドレート20とリアガイドプレート８との間に当該ロアーガイドプレート20の上側に必要に応じてシム21を介在させロアーナイフプレート１にこれらロアーガイドプレート20，シム21，リアガイドプレート８及び前記ナイフクリップ10の重合部を、各部品に設けた止着孔１ａ，20ａ，８ａ，10ａを介して締付杆体13によって締め付け螺着してロアーナイフプレート１上にスライドガイド部材11を締め付け固定している。
【００６５】
また、本実施例では、スライドガイド部材11のナイフクリップ10の、ナイフバー３のスライド方向の長さよりも、フロントガイドプレート９のこのスライド方向の長さを長く設定すると共に、リアガイドプレート８もフロントガイドプレート９と同等に長く設定して、ガイド間隙12をナイフクリップ10の横幅より長く設定している。
【００６６】
従って、あくまで最小限のプレートの組み付けでスライドガイド機構７を構成し、特にそのスライドガイド部材11は、プレートの組み付けであって調整可能に組み付け一体化し、これをロアーナイフプレート１上に他のプレートと共に締め付け固定する構成としたため、摩耗の少ない硬度の高い材質のプレートで組み付け形成できコスト高とならずに摩耗の少ないガイド間隙12を形成することができる。
【００６７】
更にリアガイドプレート８もフロントガイドプレート９もナイフクリップ10に比して長く設定してガイド間隙12を長く形成することで摩耗を更に抑えることができ、この摩耗によるナイフバー３のガタ付きを更に抑えることができ、しかもこのようにリアガイドプレート８，フロントガイドプレート９を長く設定してガイド間隙12を長く形成してもプレートによる組み付けのためさほどのコスト高とはならない。
【００６８】
更にこのスライドガイド部材11をロアーナイフプレート１に締め付け螺着固定するに際して、この間に前述のように調整用のシム21の他ナイフ４の基部を支承し且つロアーナイフ２の基部と同一高さとなる段差面19を有するロアーガイドプレート20を介在して締付杆体13で締め付け螺着固定する。
【００６９】
即ち、このロアーガイドプレート20は二枚構成でなく、段差面19を有する一枚の一体成形とし、これをロアーガイドプレート20として介在し締付杆体13で上部のスライドガイド部材11とロアーナイフプレート１とを締め付け螺着固定するため、一層スライドガイド機構７の強度が増すことになる。そのため、バリカン型刃の課題である耐久性に影響を与えていたナイフバー３の自重による長手方向の「たわみ」が解消され、スライドガイド部材11のフロントガイドプレート９に接触しているナイフ４などの偏摩耗が改善されることとなり、これによってナイフの振動を抑えて切れ味の持続性を高めることができる。
【００７０】
従って、組み付けが容易でコスト高ともなりにくい構成でありながら、摩耗も抑えることができ、スライドガイド機構７の強度が増すことによりナイフバー３の全長のたわみを防止し、これによりナイフバー３のスライド時の揺動を抑えることができるため、切れ味は良好となり、その持続性も極めて秀れた画期的なバリカン型切断装置となる。
【００７１】
以上の構成から成る本実施例に係るバリカン型切断装置における摩耗の発生とガイド間隙12の調整について説明する。
【００７２】
スライドガイド部材11をロアーナイフプレート１に締め付け固定し（図７中（ａ）参照）、この状態でスライド往復動機構６によりナイフバー３をスライド往復させてロアーナイフ２に対してナイフ４をスライド往復させることで、該両ナイフ２，４間の被切断物５が切断される。
【００７３】
この被切断物５の切断作業に際してのナイフバー３のスライド往復によりスライドガイド部材11における各擦り合わせ部位が摩耗する。
【００７４】
具体的には、図７中（ｂ）に図示したようにナイフバー３のスライド往復により、このナイフバー３のフロントスライド面３ａ及びリアスライド面３ｂと、この両スライド面３ａ，３ｂをガイドするフロントガイドプレート９及びリアガイドプレート８夫々のガイド面９ｂ，８ｂが摩耗する。図７中（ｂ）の斜線部位は摩耗部位であり、各部品を構成する素材の硬度やロアーナイフプレート１に設けられるスライドガイド部材11の位置などの各種条件にもよるが、リアガイドプレート８のガイド面８ｂが良く摩耗する傾向がある。
【００７５】
この各部品の摩耗によりガイド間隙12の調整が必要となった場合、締付杆体13を緩めて摩耗して減った厚み分だけガイド間隙12を狭める。このガイド間隙12を狭める作業はリアガイドプレート８を前方を移動させることで行われるが、この際、最適なガイド間隙12となるように平行移動係止機構16を構成する最適な凹条部14に凸条部15を凹凸係合させて仮止めを行う。この状態で締付杆体13を締め付けて再びロアーナイフプレート１に対してスライドガイド部材11を固定する（図８参照）。
【００７６】
従って、熟練を要さずとも単にナイフクリップ10とリアガイドプレート８との間に設けた凹条部14と凸条部15とを凹凸係合させるだけで精度の高いガイド間隙12の微調整が簡易且つ迅速に行えることになる。
【実施例２】
【００７７】
本発明の具体的な実施例２について図９〜11に基づいて説明する。
【００７８】
本実施例に係るスライドガイド部材11は、ナイフクリップ10に締付杆体13を貫挿させるようにした際の締付杆体13を貫挿するナイフクリップ10の貫通孔10ａを前後方向に長さを有する長孔としてリアガイドプレート８に対してフロントガイドプレート９を接離相対移動自在に設けてガイド間隙12を調整可能に形成されている。
【００７９】
従って、ガイド間隙12の調整が必要となった場合には、ナイフクリップ10を後退させてリアガイドプレート８に対してフロントガイドプレート９を接近方向に移動させることで調整する（図11参照）。尚、リアガイドプレート８の貫通孔８ａ及びナイフクリップ10の貫通孔10ａの双方を長孔としても良い。
【００８０】
また、本実施例は、ロアーガイドプレート20の先端側端面20ｂをナイフ４の基端面４ａに当接して該ナイフ４をガイドするように設けている。
【００８１】
従って、ナイフバー３のスライドに際してスライドする部材とガイドする部材との間の接触面積が増えることにより、よって、それだけ負担を分散する事で摩耗量を低減することができる。
【００８２】
その余は実施例１及び後述する実施例３と同様であり、実施例２の構成を実施例１及び実施例３に具備せしめても良いのは勿論である。
【実施例３】
【００８３】
本発明の具体的な実施例３について図12〜18に基づいて説明する。
【００８４】
本実施例に係る凹条部14夫々は、内底部14ｃから立ち上がるフロント側内壁面14ａとリア側内壁面14ｂとを有しており、リアガイドプレート８とナイフクリップ10との重合方向と直交する面Ｐ１（フロントガイドプレート９に対するリアガイドプレート８の接離方向と平行となる面Ｐ１、更に言い換えれば、リアガイドプレート８の被重合面８Ａ及びナイフクリップ10の重合面10Ａの面方向と平行となる面Ｐ１）と、この面Ｐ１と交差しフロント側内壁面14ａの面方向と平行となる面Ｐ２との交差内角Ｒ１に比し、面Ｐ１と、この面Ｐ１と交差しリア側内壁面14ｂの面方向と平行となる面Ｐ３との交差内角Ｒ２を同一の角度となるように設定している。
【００８５】
具体的には、面Ｐ１と面Ｐ３との交差内角Ｒ２を４５°に設定し、一方、面Ｐ１と面Ｐ２との交差内角Ｒ１を４５°に設定しており、フロント側内壁面14ａとリア側内壁面14ｂとの互いに交差する面Ｐ１，Ｐ２同士の交差内角Ｒ３（開き角度）が９０°に設定された凹条に形成されている。
【００８６】
一方、凸条部15は、凹条部14に凹凸係合させた際、この凹条部14のフロント側内壁面14ａに重合するフロント側外壁面15ａとリア側内壁面14ｂに重合するリア側外壁面15ｂとを有し、このフロント側外壁面15ａとリア側外壁面15ｂとが頂部15ｃを介して内角Ｒ４が９０°に設定されるＶ字状に連設している。
【００８７】
従って、例えば切断作業時などにフロント側及びリア側への応力に対する均等な耐久性が得られることになる。
【００８８】
また、本実施例は、ナイフクリップ10の重合面10Ａ（若しくはリアガイドプレート８の被重合面８Ａ）に設けられる最も後方側の凹条部14に対して、リアガイドプレート８の被重合面８Ａ（若しくはナイフクリップ10の重合面10Ａ）に設けられる凸条部15を凹凸係合させた際、ナイフクリップ10の基端部とリアガイドプレート８の基端部とが面一となるように設定されている。
【００８９】
従って、スライドガイド部材11の組み付けに際して、ナイフクリップ10をリアガイドプレート８に重合させた際、確実に基準となる位置にセットされたことが簡易且つ迅速に把握し得ることになる。
【００９０】
その余は実施例１，実施例２と同様である。
【００９１】
尚、本発明は、実施例１，２，３に限られるものではなく、各構成要件の具体的構成は適宜設計し得るものである。
【符号の説明】
【００９２】
Ｐ１  面
Ｐ２  面
Ｐ３  面
Ｒ１  交差内角
Ｒ２  交差内角
１  ロアーナイフプレート
２  ロアーナイフ
３  ナイフバー
４  ナイフ
５  被切断物
６  スライド往復駆動機構
７  スライドガイド機構
８  リアガイドプレート
８Ａ  被重合面
８ａ  貫通孔
９  フロントガイドプレート
10  ナイフクリップ
10Ａ  重合面
10ａ  貫通孔
11  スライドガイド部材
12  ガイド間隙
13  締付杆体
14  凹条部
14ａ  フロント側内壁面
14ｂ  リア側内壁面
14ｃ  内底部
15  凸条部
16  平行移動阻止機構
17  係合位置視認手段
17ａ  メモリ
19  段差面
20  ロアーガイドプレート
21  シム
【図１】
2011125238.tif 000003
【図２】
2011125238.tif 000004
【図３】
2011125238.tif 000005
【図４】
2011125238.tif 000006
【図５】
2011125238.tif 000007
【図６】
2011125238.tif 000008
【図７】
2011125238.tif 000009
【図８】
2011125238.tif 000010
【図９】
2011125238.tif 000011
【図１０】
2011125238.tif 000012
【図１１】
2011125238.tif 000013
【図１２】
2011125238.tif 000014
【図１３】
2011125238.tif 000015
【図１４】
2011125238.tif 000016
【図１５】
2011125238.tif 000017
【図１６】
2011125238.tif 000018
【図１７】
2011125238.tif 000019
【図１８】
2011125238.tif 000020
【図１９】
2011125238.tif 000021
【図２０】
2011125238.tif 000022
【図２１】
2011125238.tif 000023